(57)【要約】【課題】作業点の違いによる作業性の違いを確かなものとして明確に把握でき、様々な作業の今後の能率向上に真に役立てていくことができる体験システムを提供する。【解決手段】スイッチ３と、スイッチ３からの信号を受けてスイッチ３を操作した回数をカウント表示するカウンター４とが備えられ、スイッチ３の単位時間当たりの操作回数のカウントを、スイッチ３を複数の各作業点に設置して行えるようになされている。【選択図】      図１
2005107133.tif 000002
【特許請求の範囲】
【請求項１】
スイッチと、スイッチからの信号を受けてスイッチを操作した回数をカウント表示するカウンターとが備えられ、スイッチの単位時間当たりの操作回数のカウントを、スイッチを複数の各作業点に設置して行えるようになされていることを特徴とする、作業点の違いによる作業性の違いを体験するシステム。
【発明の詳細な説明】
【技術分野】
【０００１】
本発明は、作業点の違いによる作業性の違いを体験するシステムに関する。
【背景技術】
【０００２】
家事や仕事において同じ作業を行っていくなかで、時として、以外に能率良く作業が進んで余裕ができたり、あるいは、同じ作業であるにもかかわらず時間ばかりが経って苛立ちや疲労を感じたりすることは、だれにでもある。原因は、体調ということもあろうし、様々な要因も考えられるなかで、その原因を究明することもなく、能率が上がらないときは、むやみに作業に挑み続けて過労に陥ったり、作業を断念したりすることが往々にしてある。
【発明の開示】
【発明が解決しようとする課題】
【０００３】
原因は、体調の影響するところももちろん大であるけれども、それ以外にも、自分が最も能率良く作業を行える作業点がどこであるのかを把握できていないことに、実は大きな原因があったりもするが、それに気付いていない場合が非常に多い。
【０００４】
本発明は、上記のような問題点に鑑み、作業点の違いによる作業性の違いを確かなものとして明確に把握でき、様々な作業の今後の能率向上に真に役立てていくことができる体験システムを提供することを課題とする。
【課題を解決するための手段】
【０００５】
上記の課題は、スイッチと、スイッチからの信号を受けてスイッチを操作した回数をカウント表示するカウンターとが備えられ、スイッチの単位時間当たりの操作回数のカウントを、スイッチを複数の各作業点に設置して行えるようになされていることを特徴とする、作業点の違いによる作業性の違いを体験するシステムによって解決される。
【０００６】
この体験システムでは、スイッチの操作という極めて単純な操作の繰り返しを異なる作業点において比較体験することができるものであるから、作業点の違いによる作業性の違いを確かなものとして明確に把握することができる。
【０００７】
即ち、各作業点で行われる操作あるいは作業内容が仮に複雑なものであると、操作に時間を要したのが、作業点の違いによるものであるのか、体調不良によるものであるのかを、体験者は判断しづらく、作業点の違いによる作業性の違いを確かなものとして明確に把握することができない。
【０００８】
そこで、本発明の体験システムでは、作業点における操作の内容、即ち作業の内容を、スイッチの操作を繰り返すという極めて単純な操作内容としたのである。これにより、体調不良の場合であっても、作業点の違いによって作業性の違いを確かなものとして明確に把握することができ、その体験を今後の作業における能率向上に役立てることができる。
【発明の効果】
【０００９】
本発明の体験システムは、以上のとおりのものであるから、作業点の違いによる作業性の違いを確かなものとして明確に把握でき、様々な作業の今後の能率向上に真に役立てていくことができる。
【発明を実施するための最良の形態】
【００１０】
次に、本発明の実施最良形態を図面に基づいて説明する。
【００１１】
図１及び図２に示す第１実施形態の体験システムは、作業の方向が下向きである場合のもので、図１（イ）（ロ）に示すように、昇降変位をするテーブル１が備えられ、テーブル１の天面部にはグリッド２が設けられ、複数個のスイッチ３…が位置を異ならせて設置されている。スイッチ３は、図１（ハ）に示すように、手のひらで叩いて操作できるような、叩き押し式のスイッチからなっている。また、本実施形態では、各スイッチ３…がテーブル１の奥行き方向に間隔をおいて設置されている。
【００１２】
なお、スイッチは、その他押し式スイッチであってもよいし、引き式スイッチであってもよいし、回転式スイッチであってもよいし、様々なスイッチであってよいが、スイッチに対する操作自体を極めて容易に行うことができる者であるのが好ましい。
【００１３】
また、上記のようにスイッチ３を複数個使用する場合には、各スイッチ３…を予め決められた複数の体験用作業点に動かないように固定しておくのもよいし、あるいは、動かすことができるように設置して体験希望者の好みに応じてスイッチ３…の位置を決められるようにするのもよい。もちろん、スイッチを一つとして、動かすことができるように設置しておき、各作業点での操作を同じスイッチで行うことができるようにしておくのもよい。
【００１４】
そして、テーブル１の隅にはカウンター４が設置され、各スイッチ３…の操作回数が自動でカウントされ、カウンター４にカウント数が表示されるようになされている。また、テーブル１の手前側の床面には体験希望者が体験を行う位置を示す標示５が設けられている。
【００１５】
上記の体験システムでは、図２（イ）に示すように最も手前にあるスイッチ３と、図２（ハ）に示すように最も奥にあるスイッチ３と、図２（ロ）に示すようにそれらの中間位置にあるスイッチ３とを、それぞれ一定時間内、例えば３０秒で何回叩いて押せるか操作していく。また、テーブル１の高さを変化させて同じことを繰り返してみるのもよい。
【００１６】
これにより、各作業点ごとのカウント数がカウンター４に表示され、押し叩きを最も回数多く行うことができたスイッチがどのスイッチで、回数の少ないスイッチがどのスイッチであるかを知ることができるが、単にそれだけのものではない。
【００１７】
即ち、上記の体験システムでは、操作の対象が操作単純なスイッチ３…であり、しかも、最も操作が単純な押し叩き式のスイッチ３…であることから、あるスイッチの操作回数が少ないのが体調不良や手先の不器用さによるものではなく、作業点の違いによるものであることを、からだで感じ取ることができ、作業が下向き作業である場合に、前後方向や上下方向の作業点の違いによって作業性が違ってくることを、からだで確かなものとして明確に把握することができて、様々な作業の今後の能率向上に真に役立てていくことができるのである。
【００１８】
図３及び図４に示す第２実施形態の体験システムは、作業の方向が横向きである場合のもので、図３に示すように、壁６が備えられ、壁６の一方の側には踏み板７が設置され、踏み板７には体験希望者が体験を行う位置を示す標示５が設けられている。また、踏み板７のある側の壁６の面には同様にグリッド２が設けられ、同様に複数の叩き押し式スイッチ３…が上下方向に間隔をおいて横向きに設置され、壁６には同様のカウンター４が備えられている。
【００１９】
この体験システムにおいても、図４（イ）〜（ハ）に示すように、横向きではあるが上記の場合と同様の操作作業を行っていく。これにより、体験者は、作業が横向き作業である場合に、上下方向の作業点の違いによって作業性が違ってくることを、からだで確かなものとして明確に把握することができて、様々な作業の今後の能率向上に真に役立てていくことができる。
【００２０】
以上に、本発明の実施形態を示したが、本発明はこれに限られるものではなく、発明思想を逸脱しない範囲で各種の変更が可能である。例えば、上記の実施形態では、下向き作業における上下方向、前後方向の作業点の違いによる作業性の違いと、横向き作業における上下方向の作業点の違いによる作業性の違いを体験する場合について説明しているが、作業の向きや作業点の設定方向に特段の制限はなく、その他の向きの作業について、作業点をそれに応じた様々な方向に設定して体験を行うことができるようになされていてもよい。
【図面の簡単な説明】
【００２１】
【図１】図（イ）は第１実施形態の体験システムを示す斜視図、図（ロ）は同断面側面図、図（ハ）はスイッチの斜視図である。
【図２】図（イ）ないし図（ハ）は体験方法を示す断面側面図である。
【図３】第２実施形態の体験システムを示す斜視図である。
【図４】図（イ）ないし図（ハ）は体験方法を示す断面側面図である。
【符号の説明】
【００２２】
３…スイッチ
４…カウンター
【図１】
2005107133.tif 000003
【図２】
2005107133.tif 000004
【図３】
2005107133.tif 000005
【図４】
2005107133.tif 000006